(57)【要約】【課題】記録品質を一定に保つ。【解決手段】光ディスク１０にレーザ光を照射して情報の記録を行なう光ディスク記録再生装置６００では、ＰＵ６４は、記録モードにおいて、与えられる電圧信号ＲＳのレベルに従う光量のレーザ光を、光ディスクの記録面に照射して情報を所定量毎に記録する。所定量の記録が終了する毎に、今回記録された情報を再生して再生信号を出力する。ＯＰＣ回路１０１は、再生信号のＲＦ信号に基づきアシンメトリを検出し、検出アシンメトリとターゲットデータ２の目標アシンメトリとの差分に基づき、検出アシンメトリが目標アシンメトリに一致するように、ＰＵ６４に与える電圧信号ＲＳのレベルを調整する。【選択図】図１
2008117498.tif 000002
【特許請求の範囲】
【請求項１】
記録モードにおいて、予め準備された記録面が色素膜からなるディスクにレーザ光を照射して記録すべき情報の記録を行なうディスク装置であって、
与えられる電圧信号のレベルに従う光量の前記レーザ光を、前記ディスクの記録面に照射して、前記記録すべき情報を所定量毎に記録する情報記録手段と、
前記所定量の記録が終了する毎に、今回記録された情報を再生して再生信号を出力する情報再生手段と、
前記再生信号に基づきアシンメトリを検出するアシンメトリ検出手段と、を備え、
検出された前記アシンメトリと目標アシンメトリとの差分に基づき、検出される前記アシンメトリが前記目標アシンメトリに一致するように、前記情報記録手段に与える前記電圧信号のレベルを調整し、
前記情報再生手段は、前記所定量の記録が終了する毎に、今回記録された情報のうちの一部を再生して前記再生信号を出力し、
前記情報再生手段は、前記所定量の記録が終了する毎に、記録終了のアドレスから当該所定量の記録開始のアドレスに向かって、アドレスを辿りながら記録された情報を再生し、
前記情報記録手段は、前記所定量毎の記録に先立って、前記記録すべき情報を前記所定量よりも少ない量を記録し、その後、今回記録された情報のすべてを再生して前記再生信号を出力し、
前記目標アシンメトリは、前記ディスクの種類に応じて可変であり、
前記所定量は、前記ディスクの種類に応じて可変である、ディスク装置。
【請求項２】
記録モードにおいて、予め準備されたディスクにレーザ光を照射して記録すべき情報の記録を行なうディスク装置であって、
与えられる電圧信号のレベルに従う光量の前記レーザ光を、前記ディスクの記録面に照射して、前記記録すべき情報を所定量毎に記録する情報記録手段と、
前記所定量の記録が終了する毎に、今回記録された情報を再生して再生信号を出力する情報再生手段と、
前記再生信号に基づきアシンメトリを検出するアシンメトリ検出手段と、を備え、
検出された前記アシンメトリと目標アシンメトリとの差分に基づき、検出される前記アシンメトリが前記目標アシンメトリに一致するように、前記情報記録手段に与える前記電圧信号のレベルを調整する、ディスク装置。
【請求項３】
前記情報再生手段は、前記所定量の記録が終了する毎に、今回記録された情報のうちの一部を再生して前記再生信号を出力する、請求項２に記載のディスク装置。
【請求項４】
前記情報再生手段は、前記所定量の記録が終了する毎に、記録終了のアドレスから当該所定量の記録開始のアドレスに向かって、アドレスを辿りながら記録された情報を再生する、請求項３に記載のディスク装置。
【請求項５】
前記情報記録手段は、前記所定量毎の記録に先立って、
前記記録すべき情報を前記所定量よりも少ない量を記録し、その後、今回記録された情報のすべてを再生して前記再生信号を出力する、請求項２から４のいずれか１項に記載のディスク装置。
【請求項６】
前記目標アシンメトリは、前記ディスクの種類に応じて可変である、請求項２から５のいずれか１項に記載のディスク装置。
【請求項７】
前記所定量は、前記ディスクの種類に応じて可変である、請求項２から６のいずれか１項に記載のディスク装置。
【請求項８】
前記ディスクの記録面は色素膜からなる、請求項２から７のいずれか１項に記載のディスク装置。
【発明の詳細な説明】
【技術分野】
【０００１】
この発明はディスク装置に関し、特に、記録膜に有機色素を使った追記型（Recordable）のＤＶＤ（Digital Versatile Disc）のためのディスク装置に関する。
【背景技術】
【０００２】
ディスク装置について、ＤＶＤの記録品質を一定に保つために、さまざまな技術が提案されている。
【０００３】
たとえば、特許文献１のディスク記録装置は、記録判断手段により記録停止が判断されるたびに、記録停止直前にディスクに記録された記録済みの記録データを読取って、記録状態検出手段によりその記録データの形成状態を検出する。検出された形成状態に応じて、ヘッド出力制御手段によって、追記開始時における光学ヘッドの発光出力を設定する。これによって、ディスクに記録された記録データの形成状態を、追記を行なうたびに実際に検出し、検出した形成状態に基づき、光学ヘッドの発光出力を段階的に補正するよう構成される。これによって、最適記録レベルが設定されるようにしている。
【０００４】
また、特許文献２の情報記録装置は、記録情報を追記する場合において、追記される記録情報に相隣接する記録領域に記録された記録情報の再生品質を測定する第１測定手段と、記録パワーと記録情報に係る再生品質との相関を表わす相関情報に基づき、第１測定手段により測定された再生品質が得られる記録パワーであるリンクパワーを検出する検出手段と、記録パワーを修正する修正手段とを備えて構成される。
【特許文献１】特開２００１−１５５３４１号公報
【特許文献２】特開２００５−２６７７０９号公報
【発明の開示】
【発明が解決しようとする課題】
【０００５】
特許文献１においては、記録データの形成状態を検出するために、反射光量を用いている。反射光量は、再生信号から得られる情報ではないから、再生信号の品質を測定するのには適さない情報である。したがって、特許文献１では、再生信号に基づき記録品質を一定に保つことは困難である。
【０００６】
特許文献２では、記録レーザパワーを、作成された相関情報に基づき調整している。相関情報は、相隣接して記録されている記録情報の再生品質を測定することにより得ているため、情報が予め相隣接した領域に記録されていることが要件とされる。しかし、実際にはＤＶＤ表面のキズなどで理想的な相関情報を得るのは困難である。したがって、特許文献２では、再生信号に基づき記録品質を一定に保つことは困難である。
【０００７】
それゆえにこの発明の目的は、安定して、記録品質を一定に保つことができるディスク装置を提供することである。
【課題を解決するための手段】
【０００８】
この発明のある局面に従うと、記録モードにおいて、予め準備された記録面が色素膜からなるディスクにレーザ光を照射して記録すべき情報の記録を行なうディスク装置は、与えられる電圧信号のレベルに従う光量のレーザ光を、ディスクの記録面に照射して、記録すべき情報を所定量毎に記録する情報記録手段と、所定量の記録が終了する毎に、今回記録された情報を再生して再生信号を出力する情報再生手段と、再生信号に基づきアシンメトリを検出するアシンメトリ検出手段と、を備える。
【０００９】
そして、検出されたアシンメトリと目標アシンメトリとの差分に基づき、検出されるアシンメトリが目標アシンメトリに一致するように、情報記録手段に与える電圧信号のレベルを調整する。
【００１０】
また、情報再生手段は、所定量の記録が終了する毎に、今回記録された情報のうちの一部を再生して再生信号を出力する。情報再生手段は、所定量の記録が終了する毎に、記録終了のアドレスから当該所定量の記録開始のアドレスに向かって、アドレスを辿りながら記録された情報を再生する。情報記録手段は、所定量毎の記録に先立って、記録すべき情報を所定量よりも少ない量を記録し、その後、今回記録された情報のすべてを再生して再生信号を出力する。
【００１１】
上述の目標アシンメトリは、ディスクの種類に応じて可変であり、所定量は、ディスクの種類に応じて可変である。
【００１２】
この発明の他の局面に従うと、記録モードにおいて、予め準備されたディスクにレーザ光を照射して記録すべき情報の記録を行なうディスク装置は、与えられる電圧信号のレベルに従う光量のレーザ光を、ディスクの記録面に照射して、記録すべき情報を所定量毎に記録する情報記録手段と、所定量の記録が終了する毎に、今回記録された情報を再生して再生信号を出力する情報再生手段と、再生信号に基づきアシンメトリを検出するアシンメトリ検出手段と、を備える。
【００１３】
そして、検出されたアシンメトリと目標アシンメトリとの差分に基づき、検出されるアシンメトリが目標アシンメトリに一致するように、情報記録手段に与える電圧信号のレベルを調整する。
【００１４】
好ましくは、情報再生手段は、所定量の記録が終了する毎に、今回記録された情報のうちの一部を再生して再生信号を出力する。
【００１５】
好ましくは、情報再生手段は、所定量の記録が終了する毎に、記録終了のアドレスから当該所定量の記録開始のアドレスに向かって、アドレスを辿りながら記録された情報を再生する。
【００１６】
好ましくは、情報記録手段は、所定量毎の記録に先立って、記録すべき情報を所定量よりも少ない量を記録し、その後、今回記録された情報のすべてを再生して再生信号を出力する。
【００１７】
好ましくは、目標アシンメトリは、ディスクの種類に応じて可変である。
好ましくは、所定量は、ディスクの種類に応じて可変である。
【００１８】
好ましくは、ディスクの記録面は色素膜からなる。
【発明の効果】
【００１９】
この発明によれば、記録モードにおいて、情報記録手段は、与えられる電圧信号のレベルに従う光量のレーザ光を照射して記録すべき情報を記録する。その場合において、記録すべき情報を所定量毎に記録するようにして、所定量の記録が終了する毎に、今回記録された情報を再生して再生信号を出力し、その再生信号に基づき検出されたアシンメトリと目標アシンメトリとの差分に基づき、次回に記録される所定量の情報の再生信号から検出されるアシンメトリが目標アシンメトリに一致するように、情報記録手段に与える電圧信号のレベルを調整する。
【００２０】
したがって、記録モード時には、記録すべき情報の記録をしながら、その記録情報の再生信号からアシンメトリを検出し、検出アシンメトリが目標アシンメトリに一致するようなレーザ光量を用いてディスクの記録面に情報を記録することができる。
【００２１】
それゆえに、ディスクの記録面の全面において、目標アシンメトリが得られるような一定の記録品質を得ることができる。その結果、再生時に、ディスク外周での画止まりなどの不具合を防止することができて、再生品質も適切にできる。
【発明を実施するための最良の形態】
【００２２】
本実施の形態に係る光ディスク記録再生装置６００は、記録膜に有機色素を使った追記型のＤＶＤについてデータを記録再生する。記録面上の有機色素膜を、レーザー光を照射することにより化学的に状態を変化させることでデータの記録が行なわれる。照射する光量に従い有機色素膜の状態変化の程度が異なる、すなわちデータの記録状態が異なる。また、形状が変化した有機色素膜からの反射光に従い検出されるＲＦ信号に基づきデータの再生が行なわれる。
【００２３】
（光ディスク記録再生装置６００の構成）
図１を参照して、本実施の形態に係る光ディスク記録再生装置６００は、予め準備がされた情報記録媒体である光ディスク１０にレーザ光を照射するＬＤ（Laser Diode）８１を有した光ピックアップ（以下、ＰＵ（Pick Up）と略す）６４、光ディスク１０を回転させるスピンドルモータ６５、スピンドルモータ６５を駆動するスピンドルドライブ回路７７、ＰＵ６４のトラッキングサーボを行なうアクチュエータ（図示せず）を駆動するトラッキングドライブ回路７５、ＰＵ６４のフォーカスサーボを行なうアクチュエータを駆動するフォーカスドライブ回路７４、ＰＵ６４を光ディスク１０の半径方向に移動させるためのスレッド６６、およびスレッド６６を駆動するスレッドドライブ回路７６を備える。光ディスク１０には記録膜に有機色素を使った追記型のＤＶＤ、たとえば、ＤＶＤ−Ｒ型またはＤＶＤ＋Ｒ型のディスクが適用される。
【００２４】
ＰＵ６４は、光ディスク１０にレーザ光を照射して情報を記録する情報記録機能を有するとともに光ディスク１０からの反射光を受光する機能を有する。
【００２５】
さらに、光ディスク記録再生装置６００は、光ディスク１０上の記録データに基づくＰＵ６４からの再生信号（読取信号）を入力して該再生信号よりＲＦ（Radio Frequency）信号を作成して増幅するＲＦアンプ７８、ＲＦアンプ７８からのＲＦ信号を入力して処理してビデオ信号とオーディオ信号を、後述のテレビ４００に出力する再生信号処理部６３を備える。
【００２６】
さらに、この光ディスク記録再生装置６００は、ＲＦアンプ７８からのＲＦ信号に含まれるトラッキングエラー信号ＴＥを検出するためのトラッキングエラー検出回路７１、および同様にＲＦ信号に含まれるフォーカスエラー信号ＦＥを検出するフォーカスエラー検出回路７２を備える。
【００２７】
さらに、光ディスク記録再生装置６００は、装置全体の制御・監視を行なうためのＣＰＵ（Central Processing Unit）６１、各種データやプログラムを格納するメモリ７９、ＣＰＵ６１に従って上述の各回路を制御するコントロール回路６７、および外部から与えられるビデオ信号およびオーディオ信号を光ディスク１０に記録するための信号に変換する処理をし、処理結果の信号をＰＵ６４に出力する記録信号処理部６２を備える。
【００２８】
記録信号処理部６２は、ＨＤＤ（Hard Disc Drive）５００または後述のテレビ４００からビデオ信号およびオーディオ信号を入力し、処理し、処理した信号を出力する。
【００２９】
さらに、光ディスク記録再生装置６００は、ＲＦアンプ７８から出力されたＲＦ信号を入力して複数種類の信号に分離して、分離した信号を出力するイコライザ１０２、およびイコライザ１０２から出力された各信号を入力して、入力信号の振幅のピーク値およびボトム値を検出して出力するＲＦ振幅測定回路１０３を備える。ＲＦ振幅測定回路１０３はＡ／Ｄ（Analog／Digital）コンバータ等を有しており、検出したピーク値およびボトム値はデジタル値信号として出力される。
【００３０】
さらに、光ディスク記録再生装置６００は、電圧制御回路１０４を有するレーザドライブ回路１００を備える。レーザドライブ回路１００は、電圧制御回路１０４により制御された電圧信号ＲＳを、ＰＵ６４のＬＤ８１に供給する。これにより、ＬＤ８１には電圧信号ＲＳが指す電圧レベルに応じた直流電流が流れて発光する。したがって、その発光量は電圧信号ＲＳの電圧レベルに従い制御することができる。
【００３１】
電圧制御回路１０４は記録動作モード開始時には、デフォルトレベルの電圧信号ＲＳを出力するように動作する。デフォルトレベルを指すデータは予めコントロール回路６７のメモリなどに格納されており、記録動作モード開始時にコントロール回路６７により当該データがメモリから読出されて、電圧制御回路１０４に与えられる。したがって、電圧制御回路１０４は、与えられるデータに基づき、デフォルトレベルの電圧信号ＲＳを出力するように動作する。
【００３２】
コントロール回路６７は、トラッキングエラー信号ＴＥおよびフォーカスエラー信号ＦＥを入力して、入力した信号に基づき、フォーカスドライブ回路７４、トラッキングドライブ回路７５、スレッドドライブ回路７６およびスピンドルドライブ回路７７を制御して、トラッキング状態およびフォーカス状態が所定状態となるようにする。
【００３３】
コントロール回路６７は、ＯＰＣ(Optimum Power Control）回路１０１と、内部メモリとを有し、内部メモリには、ターゲットデータ２、種類データ４、ライト量データ９３およびリードバック量データ９４が格納される。
【００３４】
メモリ７９には、前回アドレスデータ８６、記録開始アドレスデータ８７、閾値データ８８、ライト量テーブル８９、リードバック量テーブル９０、フラグ９１およびターゲットデータテーブル９２が格納される。
【００３５】
ライト量テーブル８９には、光ディスク１０の種類のそれぞれに対応して、ライト量データ９３が格納される。リードバック量テーブル９０は、ディスク１０の種類のそれぞれに対応して、リードバック量データ９４が格納される。ターゲットデータテーブル９２にはディスク１０の種類のそれぞれに対応して、ターゲットデータ２が格納される。ＣＰＵ本体６１によって各テーブルから読出されたデータは、コントロール回路６７の内部メモリに格納される。本実施の形態では、ライト量テーブル８９、リードバック量データ９４およびターゲットデータ２は、光ディスク１０の種類に応じて最適化する。そのために、これらテーブルにおいて、光ディスク１０の種類に対応して、実験などで検出した最適な値を予め格納している。
【００３６】
図１の光ディスク記録再生装置６００が、予めセットされた光ディスク１０にデータを記録する動作について説明する。記録信号処理部６２にはビデオ信号およびオーディオ信号が与えられるが、説明を簡単にするためのビデオ信号のみが与えられて、これを記録する場合について説明をする。
【００３７】
記録信号処理部６２は与えられるビデオ信号を入力して処理し記録のためのデータ信号を出力する。ＣＰＵ６１はコントロール回路６７を、各ドライブ回路を介して光ディスク１０およびＰＵ６４を駆動するように制御し、記録信号処理部６２を、そこから出力される記録のためのデータ信号をＰＵ６４に与えるよう制御する。これにより、ＰＵ６４のＬＤ８１は与えられるデータ信号に従いレーザ光を出射する。
【００３８】
記録中に記録面からの反射光はＰＵ６４により検出がされて、検出された反射光量に基づく信号はＲＦアンプ７８に出力されるので、ＲＦアンプ７８からはＲＦ信号がトラッキングエラー検出回路７１およびフォーカスエラー検出回路７２およびコントロール回路６７に出力される。したがって、トラッキングエラー検出回路７１およびフォーカスエラー検出回路７２はトラッキングエラー信号ＴＥおよびフォーカスエラー信号ＦＥを出力する。出力されるトラッキングエラー信号ＴＥとフォーカスエラー信号ＦＥに基づきトラッキング制御とフォーカシング制御が行なわれる。
【００３９】
またコントロール回路６７はＲＦ信号を入力して、入力するＲＦ信号に含まれるアドレス情報（すなわち記録面に予め記録されているアドレス情報であって、記録動作時に読出されたアドレス情報）に基づき現在記録中のアドレスを検出する。このように、記録動作において逐次検出されるアドレスは、ＣＰＵ６１に与えられて、ＣＰＵ６１は与えられるアドレスを逐次、前回アドレス８６としてメモリ７９に格納する。したがって、記録動作においては、前回アドレス８６は記録面から最新に読出されたアドレス情報、すなわちデータが記録された現在のアドレスを指す。
【００４０】
図２には、ＯＰＣ回路１０１の内部構成例が示される。ＯＰＣ回路１０１は、アシンメトリ測定（検出）回路１１１、差分検出部１１２およびフィルタ部１１３を有する。ＯＰＣ回路１０１の説明のために、図３を参照して、ＲＦ振幅測定回路１０３から出力されたＲＦ信号成分を説明する。
【００４１】
図３において、ＲＦアンプ７８から出力されるＲＦ信号には、一番長い周期の１４Ｔ信号（振幅大きい）と一番短い周期の３Ｔ信号（振幅小さい）が含まれている。イコライザ１０２は、ＲＦ信号を入力して１４Ｔ信号と３Ｔ信号を抽出して出力する。ＲＦ振幅測定回路１０３は、入力した１４Ｔ信号のピーク値１４ＴＰとボトム値１４ＴＢおよび、３Ｔ信号のピーク値３ＴＰとボトム値３ＴＢを検出して出力する。ＲＦ振幅測定回路１０３からの出力はデジタル信号を指す。
【００４２】
アシンメトリ測定（検出）回路１１１は、ピーク値１４ＴＰとボトム値１４ＴＢおよび、ピーク値３ＴＰとボトム値３ＴＢを入力して、入力した値を、次の演算式（１）に当てはめて計算する。算出した値はアシンメトリ（Ａｓｙｍ）信号１を指す。
【００４３】
Ａｓｙｍ＝（（１４ＴＰ＋１４ＴＢ）／２−（３ＴＰ＋３ＴＢ）／２）／（１４ＴＰ−１４ＴＢ）・・・（式１）
図２の回路に相当する機能は、ソフトウェアにより実現することもできる。
【００４４】
ここで、アシンメトリ信号１について説明する。再生時において、再生信号処理部６３は与えられるＲＦ信号を２値化処理して、処理結果を用いて再生信号を生成する。（式１）は３Ｔ信号の振幅のセンタと、１４Ｔ信号の振幅のセンタとの関係を表わしている。アシンメトリ信号１の値は、ＲＦ信号を的確に２値化することができるかの指標を表わす。２値化するときには、１４Ｔ信号と３Ｔ信号の真中値（センタ）が一致していた方が正確に２値化することができる。したがって、センタがずれると、たとえば１４Ｔ信号は２値化できるが３Ｔ信号はできないために適切な２値化処理が困難となる。したがって、３Ｔ信号と１４Ｔ信号を一致したセンタ（スライスレベルＳＬ）にてスライス（２値化）することができるようなＲＦ信号が検出されるとき、高品質の再生信号を得ることができる。本実施の形態では、そのようなＲＦ信号を得ることができるように、データ記録のためのＬＤ８１の発光パワー（照射光量）を調整する。
【００４５】
アシンメトリ測定回路１１１から出力されたアシンメトリ信号１は、差分検出部１１２に与えられる。差分検出部１１２は、与えられるアシンメトリ信号１と、コントロール回路６７によって内部メモリから読出されて与えられるターゲットデータ２（デジタル信号）とを入力し、入力した２つのデータの差分を検出して差分信号３を出力する。ターゲットデータ２は、光ディスク１０の種類に対応の最適な（高品質の再生信号を得るための）アシンメトリの値を指している。
【００４６】
フィルタ部１１３は、ＬＰＦ（Low Pass Filter）１１５、低域補償回路１１６およびイコライザ１１７を有する。動作において、ＬＰＦ１１５は、差分検出部１１２から出力された差分信号３を入力し、ノイズ成分を除去して低域補償回路１１６に出力する。低域補償回路１１６は、与えられる差分信号３の低い周波数成分を所定電圧レベルまで上昇させた後に出力する。イコライザ１１７は低域補償回路１１６から出力された差分信号３を入力して発信防止処理を施した後に、レーザドライブ回路１００に出力する。
【００４７】
レーザドライブ回路１００の電圧制御回路１０４は、現在、ＰＵ６４のＬＤ８１に供給している電圧レベルを、与えられる差分信号３に基づき調整（変更）する。そして、調整されたレベルの電圧信号ＲＳが、ＰＵ６４のＬＤ８１に印加される。これにより、ＬＤ８１からの発光パワーをアシンメトリ信号１に従い制御することができる。
【００４８】
図４と図５には、光ディスク記録再生装置６００によるアシンメトリ検出のためのライト／リード動作が模式的に示される。
【００４９】
色素膜系の光ディスク１０の場合、再生信号に従うＲＦ信号により算出されるアシンメトリ信号１を、記録品質の指標とするのが一般的である。本実施の形態では、図４のように光ディスク１０の種類にかかわらず、アシンメトリ検出のために、実線矢印で示すように通常のデータ書込み（記録）動作を１０００ｈｅｘセクタ単位で行ない、１０００ｈｅｘセクタの書込み動作を終了するごとに、終了時点のアドレスからリードバック動作を開始して、その記録がされた領域の最後の１０ｈｅｘセクタ分を破線矢印で示すようにリードバック（読出：再生）する。リードバックとは、１０００ｈｅｘセクタデータの記録終了（書込終了）のアドレスから当該１０００ｈｅｘセクタの書込み動作（記録）開始のアドレスに向かって、アドレスを辿りながら記録されたデータを再生する動作を指す。
【００５０】
その再生動作により検出されたＲＦ信号に基づきアシンメトリ信号１を検出し、検出したアシンメトリ信号１と最適なアシンメトリ（ターゲットデータ２）との差分に基づき、以降、検出されるアシンメトリがターゲットのアシンメトリに一致するように電圧信号ＲＳのレベルを調整してＬＤ８１からの照射光量を可変に制御する。
【００５１】
なお、ターゲットデータ２は光ディスク１０の種類により、すなわち記録面の色素膜の特性により異なる値が適用される。
【００５２】
ここで、図４では、１０００ｈｅｘセクタ単位で書込動作を繰返すが、ＯＰＣ回路１０１が動作を開始した時に、いきなり１０００ｈｅｘセクタという多量のデータを記録すると、その書込期間はＬＤ８１の照射光量の制御が働かない。つまり、１０００ｈｅｘセクタの書込期間は比較的に長い期間であるが、その期間ではターゲットデータ２を用いたＬＤ８１からの照射光量の最適化がなされないために、記録品質を最適化できない。
【００５３】
これを防止するために、次のようにする。つまり、ＯＰＣ回路１０１の動作開始時には、図５に示すように、まず、１０ｈｅｘセクタ分のデータ書込動作をし、この書込み終了時点で、終了時点のアドレスからリードバック動作を開始して、データ書込がされたその領域（１０ｈｅｘセクタ分）のデータの読出し（再生を）して、その再生動作により検出されたＲＦ信号に基づきアシンメトリを測定し、測定をしたアシンメトリとターゲットのアシンメトリの差分に基づき、ＬＤ８１からのデータ記録のため照射光量を可変に制御する。そして、２回目の書込動作は、先の１０ｈｅｘセクタ分の再生信号のＲＦ信号に基づくアシンメトリに従い制御されたＬＤ８１からの照射光量を用いて、図４で示したような１０００ｈｅｘセクタ単位でデータの書込みが行なわれて１０ｈｅｘセクタ分のリードがバックが行なわれ、当該再生により検出されたアシンメトリに従いＬＤ８１からの照射光量が制御される。これにより、図４での課題を解消できる。
【００５４】
なお、図４と図５に示したデータ書込みの１０００ｈｅｘセクタおよびリードバックの１０ｈｅｘセクタのデータ量は、発明者が実験により、各種の光ディスク１０に適用できる共通の値として検出したものである。したがって、ライト量データ９３としては固定値である１０００ｈｅｘセクタが、また、リードバック量データ９４としては固定値である１０ｈｅｘセクタが、光ディスク記録再生装置６００の工場出荷時などに予め格納されているとしてもよい。
【００５５】
このように、光ディスク１０の記録動作時に、書込み動作を細切れとした所定セクタ分のデータの最後の書込位置から、所定セクタ分よりも短い（少ない）セクタ分をリードバックして、そのリードバックにより測定されたアシンメトリと、ターゲットのアシンメトリとのずれ（差分）をゼロとするような補正がなされるように、ＬＤ８１の発光量を決める電圧信号ＲＳのレベルを制御することにより、記録面の特性（膜厚など色素膜の特性）のバラツキにかかわらず記録品質を一定に保つような記録動作を行なわせることができる。
【００５６】
本実施の形態では、ＯＰＣ回路１０１を用いた照射光量のより適切な制御がされるように、光ディスク１０の種類に応じて、ライト量データ９３およびリードバック量データ９４（ただし、リードバック量データ９４＜ライト量データ９３）を変更する。これは次のような理由による。つまり、光ディスク１０は種類によりその半径値が異なる。また、光ディスク１０の半径方向に記録面を構成する色素膜の特性が変わるので、アシンメトリも半径方向に変化する。したがって、光ディスク１０の種類毎にライト量データ９３およびリードバック量データ９４を個々に決めるのが好ましいからである。
【００５７】
図６〜図９には、本実施の形態に係るＯＰＣ制御のためのフローチャートが示される。このフローチャートは、予めプログラムとしてメモリ７９に格納されており、ＣＰＵ６１がメモリ７９からプログラムを読出して実行することにより、これらのフローチャートにより示される機能が実現される。
【００５８】
（初期化処理）
図６には、ＯＰＣ回路１０１を用いた照射光量の制御のための初期化処理が示される。
【００５９】
まず、光ディスク１０が光ディスク記録再生装置６００にスピンドルモータ６５により回転可能な状態にセットされたことを、ＣＰＵ６１が検知すると（ステップＴ１）、ＣＰＵ６１はスピンドルドライブ回路７７を介してスピンドルモータ６５を駆動し光ディスク１０を回転させて、またスレッドドライブ回路７６を介してスレッド６６を駆動してＰＵ６４を光ディスク１０の所定位置に対応する位置まで移動させる。なお、ＣＰＵ６１は該所定位置を特定する情報を予め得ているとする。そして再生信号処理部６３に対して再生用の信号をＰＵ６４に出力させるように指示するので、再生信号処理部６３はＬＤ８１を再生のためのレーザ光を出射するように駆動制御する。所定位置の領域に照射されたレーザ光による反射光は、ＰＵ６４により検出されて、検出された信号はＲＦアンプ７８でＲＦ信号として導出されて再生信号処理部６３で処理される。処理結果信号は所定位置の領域に記録された光ディスク１０の種類を示すデータとアドレス情報とが含まれており、ＣＰＵ６１に与えられる。該アドレス情報はデータを記録を開始すべき複数のアドレスの情報を示す。ＣＰＵ６１は入力した処理結果信号が示す光ディスク１０の種類を示すデータは、種別データ４としてコントロール回路６７のメモリに格納し（ステップＴ３）、また処理結果信号が示すアドレス情報は記録開始アドレス８７としてメモリ７９に格納する（ステップＴ３）。
【００６０】
次に、ＣＰＵ６１は、コントロール回路６７のメモリから読出した種別データ４に基づき、メモリ７９のライト量テーブル８９を検索して、対応のライト量データ９３を読出し、コントロール回路６７のメモリに格納し（ステップＴ５、Ｔ７）、同様に、種類データ４に基づきリードバック量テーブル９０を検索して、対応のリードバック量データ９４を読出し、コントロール回路６７のメモリに格納する（ステップＴ９、Ｔ１１）。
【００６１】
さらに、ＣＰＵ６１は、コントロール回路６７のメモリから読出した種類データ４に基づき、メモリ７９のターゲットデータテーブル９２を検索して、対応のターゲットデータ２を読出し、コントロール回路６７のメモリに格納する（ステップＴ１３、Ｔ１５）。
【００６２】
このような初期化処理により、セットされた光ディスク１０の種類（すなわち記録表面の特性、半径サイズなど）に従い、ターゲットデータ２、ライト量データ９３およびリードバック量データ９４を予め最適化しておくことができる。
【００６３】
（ＯＰＣ回路を用いた制御）
図７と図８を参照して、ＯＰＣ回路１０１を用いたＬＤ８１の照射光量の制御について説明する。
【００６４】
図７の処理は、ＯＰＣ回路１０１を動作開始させるのに同期して開始される。つまり、光ディスク１０の記録面の特性は半径に沿って変わる。たとえば、色素膜を用いて記録面を形成する工程では、ディスクの周辺にいくほど色素膜の特性が悪くならざるを得ない（色素膜が厚くならざるをえない）ために、ディスク周辺部では、データを読取ることができないという、いわゆる画止まりが生じやすい。
【００６５】
したがって、記録アドレスが前回記録時のアドレスと、今回記録時のアドレスとが離れれば離れるほど、検出されるアシンメトリ信号１のレベルも前回記録時と今回記録時との差は大きくなるので、ＬＤ８１に供給する電圧レベルを再度、調整しなおす必要がある。
【００６６】
そこで、本実施の形態では、ＣＰＵ６１は、記録モード時においては、記録開始（たとえば、同一光ディスク１０についての記録動作の一時停止から記録再開されるときを含む）がされる毎に、図８の処理を実行する。そして、実行毎に、メモリ７９から読出した前回記録時の前回アドレス８６と、メモリ７９から読出した今回の記録開始アドレス８７との差を算出して（ステップＳ３１、Ｓ３３、Ｓ３５）、算出した差がメモリ７９から読出した閾値データ８８が指す閾値以上を指すと判定した場合には（ステップＳ３７でＹＥＳ）、ＣＰＵ６１はメモリ７９のフラグ９１の値を‘１’に設定するが（ステップＳ３９）、そうでなければ（ステップＳ３７でＮＯ）、フラグ９１の値を‘０’に設定する（ステップＳ４１）。
【００６７】
なお、記録動作時には、前述したように前回アドレス８６は常にデータが記録された最新のアドレスを指す。また、記録開始アドレス８７は複数のアドレスを指し、記録開始がされる毎に異なる記録開始アドレスが読出される。
【００６８】
ここでは閾値データ８８は光ディスク１０の種類によらない固定の値を用いたが、光ディスク１０の種類によって、個別に、閾値データ８８が指す値を切り替えるようにしてもよい。
【００６９】
図７を参照して、ＣＰＵ６１は、メモリ７９からフラグ９１を読出し、フラグ９１が‘１’を指すか否かを判定する（ステップＳ３）。
【００７０】
フラグ９１が‘１’を指示しないと判定すると（ステップＳ３でＮＯ）、ステップＳ５〜Ｓ１９からなるＯＰＣ制御のための処理ルーチンＲＴは実行されない。
【００７１】
フラグ９１が‘１’を指示していると判定されると（ステップＳ３でＹＥＳ）、処理ルーチンＲＴを実行する。具体的には、ＣＰＵ６１は記録信号処理部６２に指示して、１０００ｈｅｘセクタ分のデータを入力するように指示する（ステップＳ５）。これにより、記録信号処理部６２は、与えられるビデオ信号のうち、ライト量データ９３が指示するデータ量（たとえば、１０００ｈｅｘセクタ分のデータ）の信号を入力して、処理し、ＰＵ６４に与える。ＰＵ６４は、与えられるデータを、光ディスク１０に書込むよう動作する（ステップＳ７）。
【００７２】
その後、図４に示したように、ＣＰＵ６１は、コントロール回路６７を介して各部を制御して、リードバック量データ９４が指示するデータ量（たとえば、１０ｈｅｘセクタ分のデータ）のリードバック（再生）を行なわせる（ステップＳ９）。リードバックされたデータは、再生信号として出力されて、そのＲＦ信号はＲＦアンプ７８を介して検出される。検出されたＲＦ信号は、イコライザ１０２およびＲＦ振幅測定回路１０３を経由してＯＰＣ回路１０１に与えられる。
【００７３】
ＯＰＣ回路１０１においては、図２で説明したような手順に従い、アシンメトリ信号１が測定されて、アシンメトリ信号１と読出されたターゲットデータ２との比較結果（ターゲットデータ２−アシンメトリ信号１）を指す差分信号３が検出される（ステップＳ１１〜Ｓ１７）。
【００７４】
そして、検出された差分信号３に基づき、電圧制御回路１０４はＬＤ８１に供給する電圧信号ＲＳのレベルを調整（変更）する（ステップＳ１９）。具体的には、電圧制御回路１０４は、与えられる差分信号３が正のレベルを指す時（ターゲットデータ２＞アシンメトリ信号１の場合）は、照射光量を増加させるようにＬＤ８１に供給する電圧レベルを上昇させるように動作し、与えられる差分信号３がゼロを指す時（ターゲットデータ２＝アシンメトリ信号１の場合）は、現在の照射光量を維持（同じ）するようにＬＤ８１に供給する電圧レベルを変更しないように動作し、与えられる差分信号３が負のレベルを指す時（ターゲットデータ２＜アシンメトリ信号１の場合）は、照射光量を減少させるようにＬＤ８１に供給する電圧レベルを低下させるように動作する。
【００７５】
その後、ＣＰＵ６１により記録動作が終了したか否かが判定される（ステップＳ２１）。記録動作の終了は、たとえば外部から操作により記録終了または一時停止の指示が与えられることにより判定される。
【００７６】
記録動作が終了しない間は、処理ルーチンＲＴが繰返される。記録動作の終了が判定されると（ステップＳ２１でＹＥＳ）、その時点で光ディスク１０から読出されたアドレスデータが、前回アドレス８６としてメモリ７９に格納される（ステップＳ２３）。これにより、図７の処理は終了する。
【００７７】
図９には、図５に示されたライト動作およびリードバック動作の手順が示されている。図９では、図７で説明をしたステップＳ３とルーチンＲＴの間において、図５に示したステップＳ５ａ〜Ｓ１９ａの処理が行なわれる。ここでは、図７の処理とは異なるステップＳ５ａ〜Ｓ１９ａの処理を説明する。
【００７８】
まず、ＣＰＵ６１は記録信号処理部６２に指示して、１０ｈｅｘセクタ分のデータを入力するように指示する（ステップＳ５ａ）。これにより、記録信号処理部６２は、与えられるビデオ信号のうち、１０ｈｅｘセクタ分のデータの信号を入力して、処理し、ＰＵ６４に与える。ＰＵ６４は、与えられるデータを、光ディスク１０に書込むよう動作する（ステップＳ７ａ）。
【００７９】
その後、図５に示したように、ＣＰＵ６１は、コントロール回路６７を介して各部を制御して、書込んだ１０ｈｅｘセクタ分のデータのリードバックを行なわせる（ステップＳ９ａ）。リードバックされたデータは、再生信号として出力されて、そのＲＦ信号はＲＦアンプ７８を介して検出される。検出されたＲＦ信号は、イコライザ１０２およびＲＦ振幅測定回路１０３を経由してＯＰＣ回路１０１に与えられる。
【００８０】
ＯＰＣ回路１０１においては、図２で説明したような手順に従い、アシンメトリ信号１が測定されて、アシンメトリ信号１と読出されたターゲットデータ２との比較結果を指す差分信号３が検出される（ステップＳ１１ａ〜Ｓ１７ａ）。
【００８１】
そして、検出された差分信号３に基づき、電圧制御回路１０４はＬＤ８１に供給する電圧レベルを調整（変更）する。これにより、調整後の電圧レベルを指す電圧信号ＲＳが出力される（ステップＳ１９ａ）。
【００８２】
図１０には、この発明の実施の形態に係る光ディスク記録再生装置６００とテレビ４００がケーブル４０３で接続された状態が示される。光ディスク記録再生装置６００は、リモートコントローラ１２０を介したユーザの操作によって与えられる指令（無線信号）が送信されて、それが受信部１２４で受信されることによって光ディスク記録再生装置６００に対して指示（再生開始（一時停止からの再生再開）、再生または記録の停止、記録開始（一時停止からの記録再開）、再生または記録の一時停止などの指令）が与えられる。与えられる指示はＣＰＵ６１により入力される。
【００８３】
テレビ４００は、スピーカ４０１とディスプレイ４０２を有する。テレビ４００で図示のないアンテナで受信した放送信号は、ビデオ信号およびオーディオ信号として、ケーブル４０３を介して光ディスク記録再生装置６００に出力される。
【００８４】
部分１７１は光ディスク１０の挿入または取出口を示す。ここでは、リモコン１２０を操作部としているが、リモコン１２０に代替して光ディスク記録再生装置６００の前面に設けられた操作部１２２を操作部としてもよい。また、光ディスク記録再生装置６００の前面に設けられた表示部１２８において、記録動作／再生動作などの状態の情報など各種の情報を表示するようにしてもよい。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８６】
【図１】本実施の形態に係る光ディスク記録再生装置の構成図である。
【図２】本実施の形態に係るＯＰＣ回路の構成図である。
【図３】本実施の形態に係るＲＦ信号成分を説明する図である。
【図４】本実施の形態に係るアシンメトリ検出のためのライト／リード動作を模式的に示す図である。
【図５】本実施の形態に係るアシンメトリ検出のためのライト／リード動作を模式的に示す図である。
【図６】本実施の形態に係る初期化処理を示すフローチャートである。
【図７】本実施の形態に係るＯＰＣを用いた照射光量制御の処理フローチャートである。
【図８】本実施の形態に係る記録開始時の処理フローチャートである。
【図９】本実施の形態に係るＯＰＣを用いた照射光量制御の処理フローチャートである。
【図１０】本実施の形態に係る光ディスク記録再生装置とその周辺装置を示す図である。
【符号の説明】
【００８７】
１  アシンメトリ信号、２  ターゲットデータ、３  差分信号、１０４  電圧制御回路、１０１  ＯＰＣ回路、１１１  アシンメトリ測定回路、１１２  差分検出部、６００  光ディスク記録再生装置。
【図１】
2008117498.tif 000003
【図２】
2008117498.tif 000004
【図３】
2008117498.tif 000005
【図４】
2008117498.tif 000006
【図５】
2008117498.tif 000007
【図６】
2008117498.tif 000008
【図７】
2008117498.tif 000009
【図８】
2008117498.tif 000010
【図９】
2008117498.tif 000011
【図１０】
2008117498.tif 000012